(57)【要約】【課題】カメラの設定モードがサイレントモード（絵送モータＰＷＭ通電）時のモータノイズにより困難であったＭＲＣを簡単に可能にする。【解決手段】フィルム給送用モータと、該フィルム給送用モータへ高速給送行う第１の通電手段と、低速給送を行う第２の通電手段と、フィルムに具備された磁気記録部に記録された磁気情報を再生する磁気再生手段と、撮影途中のフィルムにおいて、前記磁気再生手段により露光済の駒を検出するとともに未露光駒にフィルム位置を合わせるフィルム給送制御手段と、カメラの動作設定モードを切り換える設定切り換え手段を備えたカメラにおいて、前記設定モードが所定設定モードであり、且つカメラに挿入されたフィルムが撮影途中であった場合、磁気信号再生中は、給送モータの通電を第１の通電手段（ＤＣ通電）により高速通電を行い、その他の通電は、第２の通電手段（ＰＷＭ通電）である低速通電を行う事特徴とするカメラ。【選択図】　　　　図１
2004012602.tif 000002
【特許請求の範囲】
【請求項１】
フィルム給送用モータと、該フィルム給送用モータへ高速給送行う第１の通電手段と、低速給送を行う第２の通電手段と、フィルムに具備された磁気記録部に記録された磁気情報を再生する磁気再生手段と、撮影途中のフィルムにおいて、前記磁気再生手段により露光済の駒を検出するとともに未露光駒にフィルム位置を合わせるフィルム給送制御手段と、カメラの動作設定モードを切り換える設定切り換え手段を備えたカメラにおいて、前記設定モードが所定設定モードであり、且つカメラに挿入されたフィルムが撮影途中であった場合、磁気信号再生中は、給送モータの通電を第１の通電手段により高速通電を行い、その他の通電は、第２の通電手段である低速通電を行う事を特徴とするカメラ。
【請求項２】
前記第１の通電手段は、ＤＣ通電であり、前記第２の通電手段は、ＰＷＭ通電であることを特徴とする請求項１のカメラ。
【発明の詳細な説明】
【０００１】
【発明の属する技術分野】
本発明は、フィルムに具備された磁気記録部に記録された磁気情報を再生する磁気再生手段を備えたカメラの改良に関するものである。
【０００２】
【従来の技術】
従来、フィルム給送速度の制御をフィルム給送用モータへの通電の有無によって行うといったものが特開平５−３４１３６５号公報にて開示されている。
【０００３】
また、フィルムに具備された磁気記録部に記録された情報を正確に再生する為に、カメラに磁気再生回路のフィルタ定数を変える構成のものが特開平４−２５８９４３号公報にて開示されている。
【０００４】
また、ＰＷＭの通電状態周波数を変更（磁気信号に干渉しない高周波）することにより、給送速度の安定と、モータノイズの低減するものが特開平８−３２８１１９号公報にて開示されている。
【０００５】
また、モータ通電を間欠通電としてモータノイズの低い、モータ通電ＯＦＦ中の慣性回転中にフィルム上の磁気再生を行うものが特開平１０−１８６４９６号公報にて開示されている。
【０００６】
【発明が解決しようとする課題】
しかしながら、上記特開平５−３４１３６５号公報の従来例においては、フィルム給送用モータの通電切換えのタイミング（ＰＷＭ周波数）に関しては何ら開示がなされていなかった。
【０００７】
又、従来はＰＷＭ周波数を可聴音領域以外の２０ＫＨｚ程度に設定していた為、磁気再生ヘッドにフィルム給送用モータの磁束変化分がノイズとして重畳してしまい、正しい磁気情報の再生ができないものであった。
【０００８】
また、特開平４−２５８９４３号公報の従来例においては、磁気再生回路にフィルタ定数切換回路の追加を必要とする為、回路構成が複雑となり、実装面積の増大を招いていた。
【０００９】
また、特開平８−３２８１１９号公報の従来例においては、ＰＷＭの通電状態に規制があり回路上のシステムで構成出来ないことがあった。
【００１０】
また、特開平１０−１８６４９６号公報においては、磁気信号再生中、モータ通電をＯＦＦしているため、給送速度に安定性を欠き、再生信号に出力安定性に影響する恐れがあった。
【００１１】
（発明の目的）
本発明の目的は、複雑な回路構成にすることなく、ノイズの無い、安定した磁気再生信号を得ることのできるカメラを提供することである。
【００１２】
【課題を解決するための手段】
上記目的を達成するために、請求項１記載の本発明は、カメラが所定設定モードに設定されていた場合磁、気信号再生中は、給送モータの通電を第１の通電手段により高速通電を行い、その他の通電は、第２の通電手段である低速通電を行うようにしている。
【００１３】
また、上記目的を達成するために、請求項２記載の本発明は、第１の通電手段はＤＣ通電であり、第１の通電手段通電中のノイズの低い状態で磁気再生行うとともに、第２の通電手段は、ＰＷＭ通電によって低速による低騒音の給送を行うようにしている。
【００１４】
【発明の実施の形態】
以下、本発明を図示の実施形態に基づいて詳細に説明する。
【００１５】
図１〜図６は本発明の第１の実施形態におけるカメラに係る図であり、図１はカメラの要部構成を示す斜視図である。
【００１６】
図１において、１はフィルム、２（２ａ，２ｂ，２ｃ…）はフィルム１に備わったパーフォレーション、３はフィルム１に具備された磁気記録部、４はフィルムカートリッジ、５はフィルムカートリッジ４の可動遮光窓開閉駆動部である。６はフィルムカートリッジ４に収納されたフィルム１が“露光済”か“未露光”か等の状態を表示するフィルム露光状態表示部であり、白黒のパターンにより表示する。７はフィルムカートリッジ４の可動遮光窓であり、前記可動遮光窓開閉駆動部６により駆動されて開閉する。８はフィルムカートリッジ４のスプール軸であり、該スプール軸８がフィルム１をフィルムカートリッジ４に巻戻す方向に回転することにより、フィルム１がフィルムカートリッジ４内に巻き込まれる。９はフィルムカートリッジ４の表示窓であり、ここを通して後述の検出手段によりフィルム露光状態表示部６の状態検出が行われる。
【００１７】
１０はフィルム１に具備された磁気記録部３に情報を記録，再生する為の磁気ヘッドである。１１は磁気ヘッド１０と対向して配置され、予め決められた力でフィルム１を挟むパッドであり、該パッド１１と磁気ヘッド１０とにより生じる力で磁気ヘッド１０をフィルム１上の磁気記録部３に密着させている。１２，１３はフォトリフレクタであり、フィルム露光状態表示部６の状態やフィルム情報の検出手段を成している。１５は可動遮光窓開閉部材であり、この回転により前記可動遮光窓開閉駆動部５を介して可動遮光窓７を開閉する。１６は可動遮光窓開閉部材１５上の前記可動遮光窓開閉駆動部５への継合部である。１７は可動遮光窓開閉部材１５上の電極部材であり、可動遮光窓開閉部材１５の回転により可動遮光窓開閉検出スイッチ１８，１９が導通，非導通の状態となる（ここでは、可動遮光窓７が開成となる事により、導通状態となる）。２０はギアユニットであり、可動遮光窓開閉用モータ２１の駆動力をギア２２を介して可動遮光窓開閉部材１５を駆動する。２３，２４はフィルムカートリッジ在否検知スイッチであり、フィルムカートリッジ４が不図示のカメラ本体内のカートリッジ室に挿入されると導通する。
【００１８】
２５は給送用継合部材であり、この回転によりフィルム１をフィルムカートリッジ４内より押し出したり、巻戻したりすることができる。２６はギアユニットであり、フィルム給送用モータ２７の駆動力をギア２８を介して給送用継合部材２５と不図示のフィルム巻取り部材に伝達する。２９，３０はフィルム１に備わったパーフォレーション（２ａ，２ｂ，２ｅｔｃ…）を検出するフォトリフレクタである。
【００１９】
上記構成において、フィルムの巻上げ時には、フィルム給送用モータ２７の駆動力がギアユニット２６を介して給送用継合部材２５及び不図示のフィルム巻取り部材に伝わり、給送用継合部材２５はフィルム１をフィルムカートリッジ４内から押し出す方向に回転し、不図示のフィルム巻取り部材はフィルム１を巻取る方向に回転する。これにより、フィルム１がフィルムカートリッジ４内から押し出され、不図示のフィルム巻取り部材に巻き取られるようになり、その後、フィルム巻取り部材の巻取り力が給送用継合部材２５により生じる押出し力よりも優勢となると、ギアユニット２６内の遊星ギヤが外れて給送用継合部材２５の駆動力がなくなる。よって、フィルム巻取り時のフィルム給送用モータ２７の給送負荷を減ずることができる。
【００２０】
また、フィルム１の巻戻し時は、フィルム給送用モータ２７は逆回転し、給送用継合部材２５はフィルム１をフィルムカートリッジ４に巻込む方向に回転し、フィルム１をフィルムカートリッジ４内に巻込むことができる。
【００２１】
次に、フィルム給送時の前記フォトリフレクタ２９，３０の働きについて説明する。
【００２２】
フィルム１が移動し、フォトリフレクタ２９の前をパーフォレーション２（例えば２ｂ）が通過すると、該フォトリフレクタ２９にパルス信号が発生し、このパルス信号の立上りと立下り（パーフォレーション２ａのスタートエッジとエンドエッジ）に応答してフィルム１の移動速度に応じた記録周波数の信号が磁気ヘッド１０に印加され、磁気記録がなされる。次にフォトリフレクタ３０の前をパーフォレーション２（２ｂ）が通過し、該フォトリフレクタ３０にパルス信号が発生する。そして、次のパーフォレーション２（２ｃ）がフォトリフレクタ２９の位置を通過することにより、この瞬間にフィルム給送用モータ２７の両端電極がＧＮＤ電位にとされ、ブレーキがかけられてフィルム１が停止される。
【００２３】
図２はフィルム１へ磁気ヘッド１０により磁気情報の記録を行う際の様子を示す図である。
【００２４】
図２において、１４ａ〜１４ｅはフィルム１上の露光部であり、１４ａ〜１４ｃは露光済駒を、１４ｄ〜１４ｅは未露光駒を、それぞれ示している。その他の部分は前述した通りである。
【００２５】
図３は上記のカメラの電気的構成を示すブロック図であり、図１と同じ部分は同一符号を付してある。
【００２６】
図３において、３１は制御回路、３２はオートフォーカス制御（ＡＥ），自動露出量制御（ＡＥ），シャッタ制御（ＳＨ）等その他の制御回路、３３はＬＣＤ等による表示部、３４は発音体、３５，３６は可動遮光窓開閉用モータ２１，フィルム給送用モータ２７を駆動するドライバ回路、３７は前記磁気ヘッド１０を駆動して情報の記録を行ったり、情報の再生を行う磁気記録再生部である。
【００２７】
ＳＷ１は不図示のレリーズボタンの第１ストロークによりＯＮするスイッチ、ＳＷ２は不図示のレリーズボタンの第２ストロークによりＯＮするスイッチ、ＳＷ３はフィルムを途中で巻戻する際に使用する巻戻しスイッチである。ＳＷ４は前記可動遮光窓開閉検出スイッチ１８，１９に相当する可動遮光窓開閉検出スイッチ、ＳＷ５は前記フィルムカートリッジ在否検知スイッチ２３，２４に相当するフィルムカートリッジ在否検知スイッチ、ＳＷ６はカートリッジ室蓋閉検知スイッチである。ＳＷ７は、給送消音モードＳＷである。
【００２８】
次に、上記構成のカメラ（制御回路３１）の動作について、図４のフローチャートにより説明する。
【００２９】
尚、図４のフローにおいては、フィルム露光状態表示部６をＥＩ（Ｅｘｐｏｓｕｅｒ　Ｉｎｄｉｃａｔｏｒ）とし、その表示状態が“全駒露光済”であることをＥ（Ｅｘｐｏｓｅｄ）、“現像済”であることをＰｒ（Ｐｒｏｃｅｓｓｅｄ）、“部分露光済”であることをＰａ（Ｐａｒｔｉａｌｌｙ　ｅｘｐｏｒｓｅｄ）、“未露光駒”であることをＦ（Ｆｌｅｓｈ）と、それぞれ略記している。また、可動遮光窓７をＬＬ（Ｌｉｇｈｔ　Ｌｏｃｋ）と略記している。
【００３０】
カメラに電源が投入されると、ステップＳ１０１を介してステップＳ１０２において、カートリッジ室蓋が開か否かをカートリッジ室蓋閉検知スイッチＳＷ６の状態より検出する。もしカートリッジ室蓋が開状態ならばこのステップに留まる。その後、カートリッジ室蓋の閉を検知することによりステップＳ１０３へ進み、ここではフィルムカートリッジ在否検知スイッチＳＷ５の状態よりフィルムカートリッジ４の在否を検出する。
【００３１】
もしフィルムカートリッジ４が装填されていなければステップＳ１０２へ戻り、同様の動作を繰り返す。又フィルムカートリッジ４が装填されていればステップＳ１０４へ進む。
【００３２】
ステップＳ１０４においては、ドライバ回路３５により可動遮光窓開閉用モータ２１を駆動し、可動遮光窓開閉部材１５を介してフィルムカートリッジ４の可動遮光窓開閉駆動部５を回転させ、可動遮光窓７の開動作を開始する。そして、可動遮光窓開閉検出スイッチＳＷ４が導通状態になったら、前記可動遮光窓開閉用モータ２１を停止する。これにより可動遮光窓７が開き、フィルムカートリッジ４のスプール軸８が回動可能となる。よって、今度は制御回路３１はドライバ回路３６によりフィルム給送用モータ２７を駆動し、給送用継合部材２５を回転させてフィルムカートリッジ４内よりフィルム１の押し出しを開始する。
【００３３】
次のステップＳ１０５においては、前記フィルム給送に連動してフィルム露光状態表示部６が回転するが、その表面に白黒パターンにて記録された各種の情報、つまり露光可能なフィルム規定駒数，フィルム感度（ＩＳＯ），フィルム種類等のフィルム情報をフォトリフレクタ１２，１３によって読み取る。又この際、フィルム露光状態表示部６の状態をも読み取る。本実施形態においては、フィルム押出しによるモータの回転によりフィルムの露光状態を、読み取ったがフィルム巻戻し回転によって読み取っても良い。
【００３４】
そして、ステップＳ１０６において、上記フォトリフレクタ１２，１３にて読み取ったフィルム露光状態表示部６の状態を判別する。この結果、フィルム全露光の状態である“全駒露光済”又は“現像済”であることを判別した場合にはステップＳ１１９へ進み、“未露光”であることを検出した場合にはステップＳ１０７へ進み、“部分露光済”であることを検出した場合にはステップＳ１２０へ進む。
【００３５】
まず、“未露光”であることを判別したとして、ステップＳ１０７へ進んだ場合の動作について説明する。
【００３６】
ステップＳ１０７からステップＳ１１１までにおいては、まずステップＳ１０７で給送消音モードＳＷであるＳＷ７の検出を行う。ここで、給送消音モードＳＷがＯＦＦであった場合ステップＳ１０８ＤＣ正通電によりフィルム給送用モータ２７を駆動しフィルム１の押出しを開始する。また、ステップＳ１０７で給送消音モードＳＷがＯＮであった場合ＰＷＭ正通電によるフィルム１の押出しを開始する。このフィルムの給送において、パーフォレーション２を検出するフォトリフレクタ２９及び３０の出力信号を監視しつつ、撮影駒数Ｋの値を「０」にし、やがてフィルム１の第１駒（フレーム）が撮影可能位置に達すると上記フィルム給送用モータ２７への通電を停止しすると共に、前記撮影駒数を「１」に設定する。
【００３７】
次のステップＳ１１３においては、不図示のレリーズボタンが押されてスイッチＳＷ１がＯＮしたか否かを検知し、ＯＮしていなければＯＮするまでこのステップに留まる。その後、該スイッチＳＷ１がＯＮするとステップＳ１１４へ進み、制御回路３２を用いて公知の測光及び測距動作を行い、かつ、得られる測距情報に基づいてオートフォーカス制御を行う。
【００３８】
次のステップＳ１１５においては、さらに前記レリーズボタンが押されてスイッチＳＷ２がＯＮしたか否かを検知し、ＯＮしていなければ上記ステップＳ１１４へ戻って同様の動作を繰り返す。その後、該スイッチＳＷ２がＯＮするとステップＳ１１６へ進み、再び制御回路３２を用いて上記の測光動作により得られた測光情報に基づいてシャッタを開閉制御を行う。そして、ステップＳ１１７において、ドライバ回路３６を介してフィルム給送用モータ２７を駆動してフィルムの１駒巻上げを行う。この際、パーフォレーション検出用のフォトリフレクタ２９の出力に基づいて記緑周波数を決定し、磁気ヘッド１０を駆動してフィルム１に具備された磁気記録部３に日付，シャッタ速度等の撮影情報の記緑を行う。
【００３９】
次に、ステップＳ１１８において、途中取出しスイッチＳＷ３の状態を調べ、もしＯＮしていたならばフィルムの途中取出しを行うが、その前に、ステップＳ１０７と同様にステップＳ１２６の給送消音モードＳＷ７の検出を行う、ここで給送消音モードＳＷＳＷ７がＯＦＦであった場合、フィルム給走モータ２７の駆動通電をステップＳ１２７ＤＣ逆通電を行い、ＯＮであった場合ステップＳ１２８ＰＷＭ逆通電を開始し、パーフォレーション検出用のフォトリフレクタ２９より信号が発生しなくなることにより、前記フィルム給送用モータ２７の駆動を停止する。そして、次のステップＳ１３０において、パーフォレーション検出用のフォトリフレクタ２９より信号が発生しなくなってから一定時間後、前記フィルム給送用モータ２７をフォトリフレクタ１２，１３の信号に応じて再び駆動制御し、フィルム露光状態表示部６の回転位置を“部分露光済”の状態に合わせる。次に、ステップＳ１３１において、ドライバ回路３５を介して可動遮光窓開閉用モータ２１を駆動して可動遮光窓７を閉じ、次のステップＳ１３２において、フィルムカートリッジ取出し可能の表示を表示部３３に行う。そして、ステップＳ１３３において一連の動作を終了する。
【００４０】
また、上記ステップＳ１１８において途中取出しスイッチＳＷ３がＯＦＦであった場合には、ステップＳ１１９へ進み、ここで撮影駒数Ｋが規定駒数（最終フレーム）に達しているかどうかを調べ、達していなければステップＳ１１２へ戻り、撮影駒数Ｋの値を「＋１」する。そして、前述のステップＳ１１３以降の動作を行う。
【００４１】
その後、前記ステップＳ１１６において撮影駒数Ｋが規定駒数に達したことを検出した場合には、ステップＳ１２０に、進み前述したステップＳ１２６、ステップＳ１２７、ステップＳ１２８と同様に給送消音モードＳＷがＯＦＦでＤＣ逆通電、ＯＮでＰＷＭ逆通電を開始しパーフォレーション検出用のフォトリフレクタ２９より信号が発生しなくなることにより、前記フィルム給送用モータ２７の駆動を停止する。そして、次のステップＳ１２４において、パーフォレーション検出用のフォトリフレクタ２９より信号が発生しなくなってから一定時間後、前記フィルム給送用モータ２７をフォトリフレクタ１２，１３の信号に応じて再び駆動制御し、フィルム露光状態表示部６の回転位置を“露光済”の状態に合わせる。
【００４２】
その後は前述したステップＳ１３１へ進み、ドライバ回路３５を介して可動遮光窓開閉用モータ２１を駆動して可動遮光窓７を閉じ、次のステップＳ１３２において、フィルムカートリッジ取出し可能の表示を表示部３３に行い、ステップＳ１３３において一連の動作を終了する。
【００４３】
次に、上記ステップＳ１０６において、フィルム露光状態表示部６の状態が“露光済”もしくは“現像済”であることを検出した場合について説明する。
【００４４】
この場合はスプール軸８が回転してフィルム露光状態表示部６の位置が変ってしまう場合があり、また、露光済の場合は可動遮光窓７が開状態では感光してしまうので、ステップＳ１０６からステップＳ１２５へ進み、フィルム給送用モータ２７をフォトリフレクタ１２，１３の出力信号に応じて駆動制御してフィルム露光状態表示部６を元の状態に合せる。そして、前述のステップＳ１３１へ進み、ドライバ回路３５を介して可動遮光窓開閉用モータ２１を駆動して可動遮光窓７を閉じ、次のステップＳ１３２において、フィルムカートリッジ取出し可能の表示を表示部３３に行い、ステップＳ１３３において一連の動作を終了する。
【００４５】
次に、上記ステップＳ１０６において、フィルム露光状態表示部６の状態が“部分露光済”であることを検出した場合のＰａシーケンスついて説明する。
【００４６】
Ｐａシーケンスは、本発明において重要なシーケンスなので、図５のフローチャートで詳細に説明する。
【００４７】
まずステップＳ１０６からステップＳ２０１に進みＳＷ７給送消音モードＳＷの検出を行う、ここで、給送消音モードＳＷがＳＷ７がＯＦＦだった場合、ステップＳ２０２給送モータＤＣ正通電によりフィルム給送用モータ２７を駆動してフィルム１の押し出しを開始するとともに、パーフォレーション２の検出をフォトリフレクタ２９にて行いステップＳ２０３基準パーフォの検出を行い、基準パーフォ検出後、次にステップＳ２０４で所定時間経過１で時間の経過を待ち、所定時間経過後フィルム１に磁気記録されている磁気信号の再生を、ヘッド１０及び磁気再生回路３７にてステップＳ２０５を行う、上記ステップＳ２０２〜Ｓ２０５のタイミングチャートを図６に記する。次にステップＳ２０６で、ステップＳ２０５で行った磁気再生の信号をもとに、磁気信号の有無を判定をおこなう。ここで磁気信号を検出した場合、ステップＳ２０３に戻り、再度、基準パーフォの検出ステップ磁気信号の再生ステップ磁気記録の有無の検出を繰り返し。そして、ステップＳ２０６で磁気記録の検出されない駒まで検出を行い、磁気記緑の無い駒を検出したら、ステップＳ２０７Ｋフレームの撮影準備にて、フォトリフレクタ３０にてフィルム１の位置の検出を行い、フィルム給送モータ２７にて撮影可能な位置に合わせる給送制御を行い、次にステップＳ２０８にて途中取り出しフィルムのフィルムカートリッジが再セットが完了したことを表示部３３にて行い、図４のステップ１１０に戻る。
【００４８】
次にステップＳ２０１にて給送消音モードＳＷ　ＳＷ７がＯＮで有った場合であるが、ステップＳ２０９給送モータ２７のフィルム駆動音を低減すべく、給送モータＰＷＭ正通電を開始しフィルム１の押し出し開始する。次にパーフォレーション２の検出をフォトリフレクタ２９にて行い、ステップＳ２１０基準パーフォの検出を行い、基準パーフォ検出後、ステップＳ２１１にて所定時間経過２で時間の経過を待って所定時間経過後に、ステップＳ２１２にてステップＳ２０９で開始した給送モータのＰＷＭ正通電をＤＣ正通電に変える。次にステップＳ２１３にてヘッド１０及び磁気再生回路３７にてフイルムの磁気記録信号の再生を、ステップＳ２１４にて所定時間経過３で所定時間が経過するまで行い、次にステップＳ２１５に、磁気信号の有無を判定し、磁気信号を検出した場合ステップＳ２０９の給送モータＰＷＭ正通電に戻り給送モータの通電をＤＣ正通電からＰＷＭ正通電に戻し、フイルム各駒毎にＳ２０９〜Ｓ２１５の基準パーフォの検出給送モータＤＣ通電磁気再生を繰り返し行いステップＳ２１５で磁気信号信号が検出されない駒まで行い、磁気記録の無い駒を検出したらステップＳ２１６にて給送モータ２７の駆動をＤＣ正通電からＰＷＭ正通電に切換えステップＳ２０７に進み前述したシーケンスを行う。
【００４９】
ここでステップＳ２０４所定時間経過１、及びステップＳ２１１所定時間経過２の所定時間は、ステップＳ２０９にて検出した基準パーフォからフイルム１上に磁気記録されている位置までの給送時間で、給送スピードをフォトリフレクタ上をフイルム１のパーフォレーション２の通過する時間よりスピードを算出して決定する。またステップＳ２１３の所定時間経過２の時間は、フイルム１上の磁気記録された信号を再生し、信号の有無が判定可能かつ最も短い時間に設定する。以上で図５のＰａシーケンスを終了し、図４のシーケンスのステップＳ１１０へ戻る。以降のシーケンスは、未露光で説明したシーケンスと同様である。
【００５０】
以上のようなシーケンスでＰＷＭ通電をとＤＣ通電を組み合わせることによりサイレントモードでのフイルム途中入れ換えを可能となる。
【００５１】
以上が実施形態の各構成と本発明の各構成の対応関係であるが、本発明は、これら実施形態の構成に限定されるものではなく、請求項で示した機能、又は実施形態がもつ機能が達成できる構成であればどのようなものであってもよいことは言うまでもない。
【００５２】
（変形例）
本発明は、フォトリフレクタによりパーフォレーションを検出することでフイルムの給送速度を検出する様にしていたが、回転するパルス板を用いて行う方法等、他のどのような方法であっても本発明は適用できるものである。
【００５３】
また、本発明は、一眼レフカメラ，レンズシャッタカメラ等、何れのカメラにも適用できるものである。
【００５４】
【発明の効果】
また、本発明によれば、設定モードが所定設定モード（サイレントモード）であり、且つカメラに挿入されたフイルムが撮影途中であった場合、磁気信号再生中は、給送モータの通電を第１の通電手段（ＤＣ通電）により高速通電を行い、その他の通電は、第２の通電手段（ＰＷＭ通電）である低速通電を行っている、よってＰＷＭ通電により磁気ノイズが大きく出るサイレントモード時でも、一時的にＤＣ通電にすることにより磁気ノイズが低減でき磁気再生が可能となり、フイルム途中入れ替えが可能となる。
【図面の簡単な説明】
【図１】本発明の第１の実施形態における要部構成を示す斜視図である。
【図２】図１のカメラにおいてフィルム磁気ヘッドにより磁気情報の記録及び再生を行う際の様子を示す図である。
【図３】図１のカメラの電気的構成を示すブロック図である。
【図４】図１のカメラ動作を示すフローチャートである。
【図５】図４のフローチャート内Ｐａシーケンスにおけるフィルム給送動作を示すフローチャートである。
【図６】通常モードでの給送及び磁気再生タイミングチャート。
【図７】サイレントモードでの給送及び磁気再生タイミングチャート。
【符号の説明】
１　フィルム
２　パーフォレーション
３　磁気記録部
４　フィルムカートリッジ
１０　磁気ヘッド
１２，１３　フォトリフレクタ
２７　フィルム給送用モータ
３１　制御回路
３５　ドライバ回路
３７　磁気記録再生部
【図１】
2004012602.tif 000003
【図２】
2004012602.tif 000004
【図３】
2004012602.tif 000005
【図４】
2004012602.tif 000006
【図５】
2004012602.tif 000007
【図６】
2004012602.tif 000008
【図７】
2004012602.tif 000009